(57)【要約】    【課題】  地震発生の際に、予測対象位置についての津波予測を、計算機による津波伝播計算では達成不可能な短時間で而も良好な精度で導出する。    【解決手段】  震源条件計測装置１０と津波観測装置１２で計測したデータを処理装置１６に入力する。処理装置１６は、震源条件データに基づき、津波予測データベース記憶部１８の津波予測データベースにより、震源条件に対応する予測対象位置についての津波予測を行う。処理装置１６は、所定観測位置における津波の観測値を用いて、津波予測データベース記憶部１８の津波予測データベースにより震源条件又は波源条件を修正し或いは津波予測を行い得る。処理装置１６は、津波予測結果に基づき、判定テーブル記憶部２０により津波予測の結果に応じ警報等の情報発信や防災設備等の操作の要否を判定し、情報発信部２２に必要情報を発信指示し、設備・機器操作部２４に必要設備・機器２６作動を指示する。【選択図】      図１
2005208001.tif 000002
【特許請求の範囲】
【請求項１】
予測対象位置に到達し得る津波の波源条件を網羅的に設定し、
設定された波源条件に基づく津波の伝播を算定して予測対象位置についての津波予測を行い、
前記波源条件と、予測対象位置についての波源条件に対応する津波予測とを含む津波予測データベースを作成する工程と、
地震発生の際に、少なくともその地震の震源又は震源域と規模を含む震源条件に基づき、津波の波源条件を求め、予測対象位置についての求めた波源条件に対応する津波予測を、前記津波予測データベースにより導出する工程を含むことを特徴とする津波予測方法。
【請求項２】
地震発生の際に、少なくともその地震の震源又は震源域と規模を含む震源条件に基づき、津波の波源条件を求め、予測対象位置についての求めた波源条件に対応する津波予測を、予測対象位置に到達し得る津波について網羅的に設定された波源条件と、その波源条件に基づく津波の伝播を算定して予測対象位置について行われた津波予測とを含む津波予測データベースにより導出する工程を含むことを特徴とする津波予測方法。
【請求項３】
予測対象位置に到達する津波を発生させ得る地震の震源又は震源域と規模を含む震源条件を網羅的に設定し、
設定された震源条件に基づき発生し得る津波の伝播を算定して予測対象位置についての津波予測を行い、
前記震源条件と、予測対象位置についての震源条件に対応する津波予測とを含む津波予測データベースを作成する工程と、
地震発生の際に、予測対象位置についての震源条件に対応する津波予測を、前記津波予測データベースにより導出する工程を含むことを特徴とする津波予測方法。
【請求項４】
地震発生の際に、予測対象位置についての、少なくともその地震の震源又は震源域と規模を含む震源条件に対応する津波予測を、予測対象位置に到達する津波を発生させ得る地震の震源条件と、その震源条件に基づき発生し得る津波の伝播を算定して予測対象位置について行われた津波予測とを含む津波予測データベースにより導出する工程を含むことを特徴とする津波予測方法。
【請求項５】
予測対象位置について導出された上記津波予測を、所定観測位置における津波の観測値に基づき修正する請求項１乃至４の何れかに記載の津波予測方法。
【請求項６】
上記予測対象位置として所定観測位置を含み、その所定観測位置における津波の観測値に基づいて、津波予測データベースにより津波の波源条件を修正し、修正した波源条件に基づき、津波予測データベースにより所定観測位置以外の予測対象位置についての上記津波予測を修正する請求項１又は２記載の津波予測方法。
【請求項７】
上記予測対象位置として所定観測位置を含み、その所定観測位置における津波の観測値に基づいて、津波予測データベースにより震源条件を修正し、修正した震源条件に基づき、津波予測データベースにより所定観測位置以外の予測対象位置についての上記津波予測を修正する請求項３又は４記載の津波予測方法。
【請求項８】
予測対象位置について導出された上記津波予測に対し、予測対象位置の予測潮位に基づく修正を行う請求項１乃至７の何れかに記載の津波予測方法。
【請求項９】
予測対象位置に到達し得る津波の波源条件を網羅的に設定し、
設定された波源条件に基づく津波の伝播を算定して所定観測位置を含む予測対象位置についての津波予測を行い、
前記波源条件と、予測対象位置についての波源条件に対応する津波予測とを含む津波予測データベースを作成する工程と、
地震発生の際に、少なくともその地震の震源又は震源域を含む震源条件と所定観測位置における津波の観測値に基づき、前記津波予測データベースにより津波の波源条件を導出し、所定観測位置以外の予測対象位置についての導出した波源条件に対応する津波予測を、前記津波予測データベースにより導出する工程を含むことを特徴とする津波予測方法。
【請求項１０】
地震発生の際に、少なくともその地震の震源又は震源域を含む震源条件と所定観測位置における津波の観測値に基づき、予測対象位置に到達し得る津波について網羅的に設定された波源条件と、その波源条件に基づく津波の伝播を算定して所定観測位置を含む予測対象位置について行われた津波予測とを含む津波予測データベースにより津波の波源条件を導出し、所定観測位置以外の予測対象位置についての導出した波源条件に対応する津波予測を、前記津波予測データベースにより導出する工程を含むことを特徴とする津波予測方法。
【請求項１１】
予測対象位置に到達する津波を発生させ得る地震の震源又は震源域と規模を含む震源条件を網羅的に設定し、
設定された震源条件に基づき発生し得る津波の伝播を算定して所定観測位置を含む予測対象位置についての津波予測を行い、
前記震源条件と、予測対象位置についての震源条件に対応する津波予測とを含む津波予測データベースを作成する工程と、
地震発生の際に、少なくともその地震の震源又は震源域と所定観測位置における津波の観測値に基づき、前記津波予測データベースにより前記地震の規模を含む震源条件を導出し、所定観測位置以外の予測対象位置についての導出した震源条件に対応する津波予測を、前記津波予測データベースにより導出する工程を含むことを特徴とする津波予測方法。
【請求項１２】
地震発生の際に、少なくともその地震の震源又は震源域と所定観測位置における津波の観測値に基づき、予測対象位置に到達する津波を発生させ得る地震の震源条件と、その震源条件に基づき発生し得る津波の伝播を算定して所定観測位置を含む予測対象位置について行われた津波予測とを含む津波予測データベースにより前記地震の規模を含む震源条件を導出し、所定観測位置以外の予測対象位置についての導出した震源条件に対応する津波予測を、前記津波予測データベースにより導出する工程を含むことを特徴とする津波予測方法。
【請求項１３】
予測対象位置について導出された上記津波予測に対し、予測対象位置の予測潮位に基づく修正を行う請求項９乃至１０の何れかに記載の津波予測方法。
【請求項１４】
コンピュータに請求項１乃至１３の何れかに記載の津波予測方法を実行させるための津波予測プログラム。
【発明の詳細な説明】
【技術分野】
【０００１】
本発明は、地震発生の際に、予め設定した予測対象位置について迅速に津波予測を行うための津波予測方法及び津波予測プログラムに関する。
【背景技術】
【０００２】
海岸近傍地域や河口に比較的近い河岸地域は、海底地形に急激な変動を生じる地震により発生する津波に襲われる危険性を常に有している。而も、大規模な津波の場合、極めて甚大な被害が発生し得る。
【０００３】
一方、津波の進行する速さは（水深×重力加速度）の平方根にほぼ比例し、水深４０００ｍの海洋で約２００ｍ／秒、水深１０００ｍで約１００ｍ／秒、水深１００ｍで約３０ｍ／秒、水深１０ｍで約１０ｍ／秒と極めて速い。
【０００４】
従って、海底又は海底付近を震源又は震源域とする地震が発生した場合、迅速且つできるだけ正確な津波予測を提供することが、被害を最小限に抑える上で肝要である。
【０００５】
津波高さ、到達時刻、周期等の津波予測は、地震に伴う海底地形の変動と震源又は震源域等、並びに予測対象位置に到達するまでの海底地形及び海岸地形等に基づき、津波の伝播過程を数値計算することにより行うことができる。しかしながら、このような計算を地震発生後短時間に行うことは、計算機が発達した今日においても事実上不可能である。
【０００６】
特開平８−２９２２７３号公報（特許文献１）には、監視海域における海面流照射方向の平面分布および波浪特性の平面分布を観測する２台のレーダ装置で観測される各平面分布データを合成して、潮流、吹走流、沿岸流の予測パターンと津波来襲情報を用いて津波の存在の有無、津波の特性、津波の到着時刻を監視予測し、波浪特性を含む海象の予測パターンを用いて異常海象を監視する津波・海象監視予測装置が記載されている。この装置では、津波全体を捉えることはできるが、特定の予測対象位置毎に具体的な津波予測を行うことはできない。
【０００７】
また、特開平１１−６３９８４号公報（特許文献２）には、ＧＰＳ受信機を備えた計測用浮体を利用する津波検知システムが記載され、特開平１１−６４０５１号公報（特許文献３）には、地震計と組み合わせて地震発生時からの津波（波高）をリアルタイムで観測可能とした津波観測装置が記載されているが、地震発生時に特定の予測対象位置毎に具体的な津波予測を行うという内容は記載されていない。
【特許文献１】特開平８−２９２２７３号公報
【特許文献２】特開平１１−６３９８４号公報
【特許文献３】特開平１１−６４０５１号公報
【発明の開示】
【発明が解決しようとする課題】
【０００８】
本発明は、従来技術に存した上記のような課題に鑑み行われたものであって、その目的とするところは、地震発生の際に、予測対象位置についての津波予測を、計算機による津波伝播計算では達成不可能な短時間で而も良好な精度で導出することができる津波の予測方法及び予測プログラムを提供することにある。
【課題を解決するための手段】
【０００９】
(1-1)  上記目的を達成する本発明の津波予測方法は、
予測対象位置に到達し得る津波の波源条件を網羅的に設定し、
設定された波源条件に基づく津波の伝播を算定して予測対象位置についての津波予測を行い、
前記波源条件と、予測対象位置についての波源条件に対応する津波予測とを含む津波予測データベースを作成する工程と、
地震発生の際に、少なくともその地震の震源又は震源域と規模を含む震源条件に基づき、津波の波源条件を求め、予測対象位置についての求めた波源条件に対応する津波予測を、前記津波予測データベースにより導出する工程を含むことを特徴とする。
【００１０】
予測対象位置に到達し得る津波の波源条件（津波の波源の態様及び位置等についての条件）を網羅的に設定し、それらの波源条件に基づく津波の伝播を算定して予測対象位置についての津波予測を行うことにより、前記波源条件と、予測対象位置についての波源条件に対応する津波予測とを含む網羅的な津波予測データベースを作成することができる。
【００１１】
地震発生の際に、少なくともその地震の震源又は震源域と規模を含む震源条件に基づき津波の波源条件を求めれば、予め作成した前記津波予測データベースにより、予測対象位置についての波源条件に対応する津波予測（例えば津波高さ、到達時刻、周期等）を、計算機による津波伝播計算では達成不可能な短時間で而も良好な精度で導出することができる。
【００１２】
(1-2)  また本発明の別の津波予測方法は、
地震発生の際に、少なくともその地震の震源又は震源域と規模を含む震源条件に基づき、津波の波源条件を求め、予測対象位置についての求めた波源条件に対応する津波予測を、予測対象位置に到達し得る津波について網羅的に設定された波源条件と、その波源条件に基づく津波の伝播を算定して予測対象位置について行われた津波予測とを含む津波予測データベースにより導出する工程を含むことを特徴とする。
【００１３】
予測対象位置に到達し得る津波について網羅的に設定された波源条件と、それらの波源条件に基づく津波の伝播を算定して予測対象位置について行われた津波予測とを含む網羅的な津波予測データベースを用いることにより、地震発生の際に迅速に津波予測を行い得る。すなわち、地震発生の際に、少なくともその地震の震源又は震源域と規模を含む震源条件に基づき津波の波源条件を求めれば、前記津波予測データベースにより、予測対象位置についての波源条件に対応する津波予測を、コンピュータの津波伝播計算では達成不可能な短時間で而も良好な精度で導出することができる。
【００１４】
(2-1)  本発明の更に別の津波予測方法は、
予測対象位置に到達する津波を発生させ得る地震の震源又は震源域と規模を含む震源条件を網羅的に設定し、
設定された震源条件に基づき発生し得る津波の伝播を算定して予測対象位置についての津波予測を行い、
前記震源条件と、予測対象位置についての震源条件に対応する津波予測とを含む津波予測データベースを作成する工程と、
地震発生の際に、予測対象位置についての震源条件に対応する津波予測を、前記津波予測データベースにより導出する工程を含むことを特徴とする。
【００１５】
予測対象位置に到達する津波を発生させ得る地震の震源条件を網羅的に設定し、それらの震源条件に基づき発生し得る津波の伝播を算定して予測対象位置についての津波予測を行うことにより、前記震源条件と、予測対象位置についての震源条件に対応する津波予測とを含む網羅的な津波予測データベースを作成することができる。
【００１６】
地震発生の際に、震源条件が得られれば、予め作成した前記津波予測データベースにより、予測対象位置についての震源条件に対応する津波予測を、コンピュータの津波伝播計算では達成不可能な短時間で而も良好な精度で導出することができる。
【００１７】
(2-2)  また本発明の別の津波予測方法は、
地震発生の際に、予測対象位置についての、少なくともその地震の震源又は震源域と規模を含む震源条件に対応する津波予測を、予測対象位置に到達する津波を発生させ得る地震の震源条件と、その震源条件に基づき発生し得る津波の伝播を算定して予測対象位置について行われた津波予測とを含む津波予測データベースにより導出する工程を含むことを特徴とする。
【００１８】
予測対象位置に到達する津波を発生させ得る地震について網羅的に設定された震源条件と、それらの震源条件に基づき発生し得る津波の伝播を算定して予測対象位置について行われた津波予測とを含む網羅的な津波予測データベースを用いることにより、地震発生の際に迅速に津波予測を行い得る。すなわち、地震発生の際に、震源条件が得られれば、前記津波予測データベースにより、予測対象位置についての震源条件に対応する津波予測を、コンピュータの津波伝播計算では達成不可能な短時間で而も良好な精度で導出することができる。
【００１９】
(3-1)  上記津波予測方法は、予測対象位置について導出された上記津波予測を、所定観測位置における津波の観測値に基づき修正するものとすることができる。
【００２０】
この場合、予測対象位置について導出された上記津波予測を、所定観測位置における津波の観測値に基づき修正することにより、予測精度を高めることができる。
【００２１】
(3-2)  上記(1-1)又は(1-2)の津波予測方法は、上記予測対象位置として所定観測位置を含み、その所定観測位置における津波の観測値に基づいて、津波予測データベースにより津波の波源条件を修正し、修正した波源条件に基づき、津波予測データベースにより所定観測位置以外の予測対象位置についての上記津波予測を修正するものとすることができる。
【００２２】
この場合、予測対象位置として所定観測位置を含み、その所定観測位置における津波の観測値に基づいて、津波予測データベースにより津波の波源条件を迅速に修正し得、修正した波源条件に基づき、津波予測データベースにより所定観測位置以外の予測対象位置についての上記津波予測を修正することにより、短時間で予測精度を高めることができる。
【００２３】
(3-3)  上記(2-1)又は(2-2)の津波予測方法は、上記予測対象位置として所定観測位置を含み、その所定観測位置における津波の観測値に基づいて、津波予測データベースにより震源条件を修正し、修正した震源条件に基づき、津波予測データベースにより所定観測位置以外の予測対象位置についての上記津波予測を修正するものとすることができる。
【００２４】
この場合、予測対象位置として所定観測位置を含み、その所定観測位置における津波の観測値に基づいて、津波予測データベースにより震源条件を迅速に修正し得、修正した震源条件に基づき、津波予測データベースにより所定観測位置以外の予測対象位置についての上記津波予測を修正することにより、短時間で予測精度を高めることができる。
【００２５】
(3-4)  上記の津波予測の修正に用いる所定観測位置における津波の観測値は、その観測位置の予測潮位に基づき修正することができる。津波予測の修正に用いる所定観測位置における津波の観測値を、その観測位置の予測潮位に基づき修正することにより、一層予測精度を高めることができる。尤も、このような修正を要せずに精度よい観測値が得られれば、観測値の修正は要しない。
【００２６】
(4)  また本発明の津波予測方法は、予測対象位置について導出された上記津波予測に対し、予測対象位置の予測潮位に基づく修正を行うものとすることが望ましい。
【００２７】
この場合、予測対象位置について導出された上記津波予測に対し、予測対象位置の予測潮位に基づく修正、すなわち天文潮位、低気圧、風等による加減を行うことにより、一層予測精度を高めることができる。
【００２８】
(5-1)  本発明の更に別の津波予測方法は、
予測対象位置に到達し得る津波の波源条件を網羅的に設定し、
設定された波源条件に基づく津波の伝播を算定して所定観測位置を含む予測対象位置についての津波予測を行い、
前記波源条件と、予測対象位置についての波源条件に対応する津波予測とを含む津波予測データベースを作成する工程と、
地震発生の際に、少なくともその地震の震源又は震源域を含む震源条件と所定観測位置における津波の観測値に基づき、前記津波予測データベースにより津波の波源条件を導出し、所定観測位置以外の予測対象位置についての導出した波源条件に対応する津波予測を、前記津波予測データベースにより導出する工程を含むことを特徴とする。
【００２９】
予測対象位置に到達し得る津波の波源条件を網羅的に設定し、それらの波源条件に基づく津波の伝播を算定して所定観測位置を含む予測対象位置についての津波予測を行うことにより、前記波源条件と、予測対象位置についての波源条件に対応する津波予測とを含む網羅的な津波予測データベースを作成することができる。
【００３０】
地震発生の際に、少なくともその地震の震源又は震源域と規模を含む震源条件と所定観測位置における津波の観測値に基づき、予め作成した前記津波予測データベースにより津波の波源条件を求めれば、その津波予測データベースにより、所定観測位置以外の予測対象位置についての波源条件に対応する津波予測を、コンピュータの津波伝播計算では達成不可能な短時間で而も良好な精度で導出することができる。
【００３１】
(5-2)  また、本発明の別の津波予測方法は、
地震発生の際に、少なくともその地震の震源又は震源域を含む震源条件と所定観測位置における津波の観測値に基づき、予測対象位置に到達し得る津波について網羅的に設定された波源条件と、その波源条件に基づく津波の伝播を算定して所定観測位置を含む予測対象位置について行われた津波予測とを含む津波予測データベースにより津波の波源条件を導出し、所定観測位置以外の予測対象位置についての導出した波源条件に対応する津波予測を、前記津波予測データベースにより導出する工程を含むことを特徴とする。
【００３２】
予測対象位置に到達し得る津波について網羅的に設定された波源条件と、それらの波源条件に基づく津波の伝播を算定して予測対象位置について行われた津波予測とを含む網羅的な津波予測データベースを用いることにより、地震発生の際に迅速に津波予測を行い得る。すなわち、地震発生の際に、少なくともその地震の震源又は震源域と規模を含む震源条件と所定観測位置における津波の観測値に基づき、前記津波予測データベースにより津波の波源条件を求めれば、その津波予測データベースにより、所定観測位置以外の予測対象位置についての波源条件に対応する津波予測を、コンピュータの津波伝播計算では達成不可能な短時間で而も良好な精度で導出することができる。
【００３３】
(6-1)  本発明の更に別の津波予測方法は、
予測対象位置に到達する津波を発生させ得る地震の震源又は震源域と規模を含む震源条件を網羅的に設定し、
設定された震源条件に基づき発生し得る津波の伝播を算定して所定観測位置を含む予測対象位置についての津波予測を行い、
前記震源条件と、予測対象位置についての震源条件に対応する津波予測とを含む津波予測データベースを作成する工程と、
地震発生の際に、少なくともその地震の震源又は震源域と所定観測位置における津波の観測値に基づき、前記津波予測データベースにより前記地震の規模を含む震源条件を導出し、所定観測位置以外の予測対象位置についての導出した震源条件に対応する津波予測を、前記津波予測データベースにより導出する工程を含むことを特徴とする。
【００３４】
予測対象位置に到達する津波を発生させ得る地震の震源条件を網羅的に設定し、それらの震源条件に基づき発生し得る津波の伝播を算定して所定観測位置を含む予測対象位置についての津波予測を行うことにより、前記震源条件と、予測対象位置についての震源条件に対応する津波予測とを含む網羅的な津波予測データベースを作成することができる。
【００３５】
地震発生の際に、少なくともその地震の震源又は震源域と所定観測位置における津波の観測値に基づき、予め作成した前記津波予測データベースにより前記地震の規模を含む震源条件を導出し得、導出した震源条件に対応する津波予測を、その津波予測データベースにより、所定観測位置以外の予測対象位置について、コンピュータの津波伝播計算では達成不可能な短時間で而も良好な精度で導出することができる。
【００３６】
(6-2)  また本発明の更に別の津波予測方法は、
地震発生の際に、少なくともその地震の震源又は震源域と所定観測位置における津波の観測値に基づき、予測対象位置に到達する津波を発生させ得る地震の震源条件と、その震源条件に基づき発生し得る津波の伝播を算定して所定観測位置を含む予測対象位置について行われた津波予測とを含む津波予測データベースにより前記地震の規模を含む震源条件を導出し、所定観測位置以外の予測対象位置についての導出した震源条件に対応する津波予測を、前記津波予測データベースにより導出する工程を含むことを特徴とする。
【００３７】
予測対象位置に到達する津波を発生させ得る地震について網羅的に設定された震源条件と、それらの震源条件に基づき発生し得る津波の伝播を算定して所定観測位置を含む予測対象位置について行われた津波予測とを含む網羅的な津波予測データベースを用いることにより、地震発生の際に迅速に津波予測を行い得る。すなわち、地震発生の際に、少なくともその地震の震源又は震源域と所定観測位置における津波の観測値に基づき、前記津波予測データベースにより前記地震の規模を含む震源条件を導出し得、導出した震源条件に対応する津波予測を、前記津波予測データベースにより、所定観測位置以外の予測対象位置について、コンピュータの津波伝播計算では達成不可能な短時間で而も良好な精度で導出することができる。
【００３８】
(7)  上記(5-1)、(5-2)、(6-1)又は(6-2)の津波予測方法は、上記の津波予測に用いる所定観測位置における津波の観測値を、その観測位置の予測潮位に基づき修正することができる。津波予測に用いる所定観測位置における津波の観測値を、その観測位置の予測潮位に基づき修正することにより、一層予測精度を高めることができる。尤も、このような修正を要せずに精度よい観測値が得られれば、観測値の修正は要しない。
【００３９】
(8)  また上記(5-1)、(5-2)、(6-1)又は(6-2)の津波予測方法は、予測対象位置について導出された上記津波予測に対し、予測対象位置の予測潮位に基づく修正を行うものとすることが望ましい。
【００４０】
この場合、予測対象位置について導出された上記津波予測に対し、予測対象位置の予測潮位に基づく修正を行うことにより、一層予測精度を高めることができる。
【００４１】
(9)  本発明の津波予測プログラムは、コンピュータに上記何れかの津波予測方法を実行させるためのものである。
【発明の効果】
【００４２】
本発明の津波予測方法及び津波予測プログラムによれば、地震発生の際に、予測対象位置についての津波予測（例えば津波高さ、到達時刻、周期等）を、短時間且つ良好な精度で導出することができる。そのため、地域毎の個別の浸水予測並びに避難勧告や水門閉鎖の要否やレベル等を迅速に判定する上で資するところが大きい。また、震源条件或いは所定観測位置における津波の観測値等のデータを順次精度の良いものに変えることができる場合にも、新たなデータに基づき迅速に津波予測を行うことができる。
【発明を実施するための最良の形態】
【００４３】
本発明の実施の形態を説明する。尤も、本発明は以下の記載に限定されるものでないことは言うまでもない。
【００４４】
(1)津波予測データベースの作成
【００４５】
(1-1)予測対象位置
地方自治体、私企業、公益法人、個人等の必要に応じ、海岸近傍地域や河口に比較的近い河岸地域等における、例えば、特定の１又は２以上の位置、特定の施設がある１又は２以上の位置、一定地域を満遍なくカバーし得る間隔おきの複数位置等を、それぞれ予測対象位置として設定することができる。
【００４６】
(1-2)予測対象位置に到達し得る津波の波源条件および／または予測対象位置に到達する津波を発生させ得る地震の震源条件の網羅的設定
【００４７】
(1-2-1)予測対象位置に到達し得る津波の波源条件の網羅的設定
設定した予測対象位置に到達し得る津波の波源条件を網羅的に設定する。
【００４８】
波源条件としては、津波の波源の態様（振幅、波長等）及び波源の位置等を挙げることができる。津波の波源条件は、少なくとも波源の位置及び態様の何れにおいても網羅的に設定する。
【００４９】
波源の位置は、例えば、予測対象位置に到達し得る地域を分割することにより又は予測対象位置に到達し得る地域に間隔おきに波源位置を設定することにより網羅することができる。このような分割や間隔は、例えば、予測対象位置に近い位置では細かく、遠くなるに従い粗く設定することや、水深が深い位置では比較的粗く、浅い位置では比較的細かく設定する等、データ量及び計算量を可及的に低減し得るように行うことが好ましい。
【００５０】
波源の態様については、例えば振幅や波長等に複数段階を設定して網羅することができる。
【００５１】
(1-2-2)予測対象位置に到達する津波を発生させ得る地震の震源条件の網羅的設定
予測対象位置に到達する津波を発生させ得る地震の震源条件を網羅的に設定する。
【００５２】
震源条件は、地震の震源又は震源域と規模を含み、少なくとも震央又は震源域の真上の地表域及び地震の規模の何れにおいても網羅的に設定する。
【００５３】
震央又は震源域の真上の地表域は、例えば、予測対象位置に到達する津波を発生させ得る地域を分割することにより又は予測対象位置に到達する津波を発生させ得る地域に間隔おきに設定することにより網羅することができる。このような分割や間隔は、例えば、予測対象位置に近い位置では細かく、遠くなるに従い粗く設定することや、水深が深い位置では比較的粗く、浅い位置では比較的細かく設定する等、データ量及び計算量を可及的に低減し得るように行うことが好ましい。
【００５４】
地震の規模については、例えば複数段階を設定して網羅することができる。また、震源又は震源域の深さについても、例えば複数段階を設定して網羅することができる。なお、その他の震源条件、例えば断層又は海底のずれの態様（ずれの向き、ずれの大きさ等）等を設定するものとすることもできる。
【００５５】
(1-2-3)観測位置の設定
予測対象位置としては、所定観測位置を含めることができる。所定観測位置は、実際に津波予測が要求される予測対象位置から十分に離れた位置に設けることが望まれる。所定観測位置における津波の観測値を、所定観測位置以外の予測対象位置の津波予測又は予測の修正に利用し得るものとするためである。従って所定観測位置はなるべく広い範囲に設けることが好ましい。所定観測位置における観測装置は特に限定されず、固定津波計測装置、津波計測用のＧＰＳ内臓ブイ、地上又は衛星レーダー等を適宜採用し得る。
【００５６】
(1-3)津波予測計算及び津波予測データベース作成
設定された波源条件又は震源条件に基づき津波の伝播を算定して津波予測を行い、津波予測データベースを作成する。なお、津波予測の算定及び津波予測データベースは、従来の津波データに基づきその精度や適用限界等を十分に検証することが望ましい。
【００５７】
(1-3-1)設定された波源条件に基づく津波の伝播の算定による予測対象位置についての津波予測
【００５８】
設定された波源条件、並びに波源の位置と予測対象位置の間の海底地形及び海岸地形等に基づき、津波の伝播過程を数値計算することにより、津波高さ、到達時間、周期等の津波予測を行うことができる。海底地形及び海岸地形に応じ、例えば、津波の伝播速度［（水深×重力加速度）の平方根にほぼ比例］、屈折、回折、及び反射等を計算し、また、湾内については、津波の周期と湾の固有振動の周期の関係による共振についても計算するものとすることができる。
【００５９】
この算定結果に基づき、津波予測データベース（波源条件に基づくもの）を作成する。この津波予測データベースは、設定された波源条件と、予測対象位置についての波源条件に対応する津波予測とを含むものとする。
【００６０】
(1-3-2)設定された震源条件に基づき発生し得る津波の伝播の算定による予測対象位置についての津波予測
設定された震源条件に基づき、発生し得る津波の波源条件を求める。波源条件は、震源の深さ、地震の規模、水深等の震源条件に基づき、例えば従来のデータによる判定テーブルや経験式又は理論式等により求めることができる。導出された波源条件に基づく津波予測は、前記と同様に行い得る。
【００６１】
この算定結果に基づき、津波予測データベース（震源条件に基づくもの）を作成する。この津波予測データベースは、設定された震源条件と、予測対象位置についての震源条件に対応する津波予測とを含むものとする。
【００６２】
(2)地震発生時の津波予測
地震発生時に計測される震源条件に基づき、前記津波予測データベースを用いて津波予測を導出する。
【００６３】
(2-1)津波予測データベース（波源条件に基づくもの）による津波予測
地震発生時に計測される震源条件（少なくともその地震の震源又は震源域と規模を含む）に基づき、津波の波源条件を求める。波源条件は、震源の深さ、地震の規模、水深等の震源条件に基づき、例えば従来のデータによる判定テーブルや経験式又は理論式等により求めることができる。
【００６４】
次いで、求めた波源条件に対応する、予測対象位置についての津波予測（津波高さ、到達時間、周期等）を、波源条件を網羅的に設定した前記津波予測データベース（波源条件に基づくもの）により、計算機による津波伝播計算では達成不可能な短時間で而も良好な精度で導出することができ、浸水予測並びに避難勧告や水門閉鎖の要否やレベル等を迅速に判定する上で資するところが大きい。また、震源条件等のデータを順次精度の良いものに変えることができる場合にも、新たなデータに基づき迅速に津波予測を行うことができる。
【００６５】
(2-2)津波予測データベース（震源条件に基づくもの）による津波予測
地震発生時に計測される震源条件（少なくともその地震の震源又は震源域と規模を含む）に対応する、予測対象位置についての津波予測（津波高さ、到達時間、周期等）を、震源条件を網羅的に設定した前記津波予測データベース（震源条件に基づくもの）により、計算機による津波伝播計算では達成不可能な短時間で而も良好な精度で導出することができ、浸水予測並びに避難勧告や水門閉鎖の要否やレベル等を迅速に判定する上で資するところが大きい。また、新たなデータに基づき迅速に津波予測を行うことができる。
【００６６】
(3)観測値に基づく修正
【００６７】
(3-1)津波予測データベース（波源条件に基づくもの）による津波予測の修正
上記所定観測位置における津波の観測値（波高、振幅、周期等）と、波源条件又は震源条件に基づき津波予測データベースにより導出された津波予測が相違する場合、津波の観測値に基づき、津波予測データベース（波源条件に基づくもの）により、対応する波源条件を導出して津波の波源条件を修正又は設定することができる。このようにして修正又は設定した波源条件に基づき、津波予測データベースにより所定観測位置以外の予測対象位置についての津波予測を迅速に修正することができ、これにより、短時間で予測精度を高めることができる。また、震源条件や津波の観測値等のデータを順次精度の良いものに変えることができる場合にも、新たなデータに基づき迅速に津波予測の修正を行うことができる。
【００６８】
(3-2)津波予測データベース（震源条件に基づくもの）による津波予測の修正
上記所定観測位置における津波の観測値（波高、振幅、周期等）と、震源条件に基づき津波予測データベースにより導出された津波予測が相違する場合、津波の観測値に基づき、津波予測データベースにより、対応する震源条件を導出して震源条件を修正することができる。このようにして修正した震源条件に基づき、津波予測データベースにより所定観測位置以外の予測対象位置についての津波予測を迅速に修正することができ、これにより、短時間で予測精度を高めることができる。また、新たなデータに基づき迅速に津波予測の修正を行うことができる。
【００６９】
(4)観測値を考慮した津波予測
【００７０】
(4-1)津波予測データベース（波源条件に基づくもの）による津波予測
地震発生時に計測される震源条件、例えば震央又は震源域の真上の地表域と、所定観測位置における津波の観測値に基づき、前記津波予測データベース（波源条件に基づくもの）により津波の波源条件を導出することができる。次いで、求めた波源条件に対応する、予測対象位置についての津波予測を、波源条件を網羅的に設定した前記津波予測データベース（波源条件に基づくもの）により、短時間で而もより良好な精度で導出することができる。また、新たなデータに基づき迅速に津波予測を行うことができる。
【００７１】
(4-2)津波予測データベース（震源条件に基づくもの）による津波予測
地震発生時に計測される震源条件、例えば震央又は震源域の真上の地表域と、所定観測位置における津波の観測値に基づき、前記津波予測データベース（震源条件に基づくもの）により地震の規模等の震源条件を導出することができる。次いで、導出した震源条件に対応する、予測対象位置についての津波予測を、震源条件を網羅的に設定した前記津波予測データベース（波源条件に基づくもの）により、短時間で而もより良好な精度で導出することができる。また、新たなデータに基づき迅速に津波予測を行うことができる。
【００７２】
(5)予測潮位に基づく津波予測の修正
予測潮位は、天文潮のみならず、気圧や風を考慮した予測潮位を用いることができる。予測対象位置について導出された津波予測に対し、予測対象位置の予測潮位に基づく修正を行えば、一層予測精度を高めることができ、浸水予測並びに避難勧告や水門閉鎖の要否やレベル等の判定に一層資するものとなる。
【００７３】
(6)津波予測プログラム
上記何れの津波予測方法も、相応の津波予測プログラムにより、コンピュータに実行させることができる。
【００７４】
(7)津波予測及び関連処理システム
上記津波予測方法を実行する津波予測及び関連処理用のコンピュータシステムは、例えば、図１に示すように、震源条件計測装置１０（又は震源条件算出用データ計測装置）、所定観測位置における津波観測装置１２、通信システム１４（又は通信網）、処理装置１６、津波予測データベース（波源条件に基づくものおよび／または震源条件に基づくもの）を記憶した津波予測データベース記憶部１８、津波予測の結果に応じ各種情報や防災設備等の各種設備・機器操作の要否を判定するための判定テーブル記憶部２０、各種情報（警報、避難勧告、計測データ、判定結果、その他）を発信する情報発信部２２、防災設備やその他の設備・機器を操作するための設備・機器操作部２４、設備・機器２６（水門、可動防潮堤等の防災設備、及びその他の設備・機器）からなるものとすることができる。津波予測データベースは、例えば他のコンピュータにより作成するものとすることができる。
【００７５】
震源条件計測装置１０（又は震源条件算出用データ計測装置）及び所定観測位置における津波観測装置１２により計測されたデータは、個別通信システム１４（又は通信網）を介して処理装置１６に入力される。処理装置１６は、入力した震源条件データ（又は入力した震源条件算出用データに基づき算出された震源条件データ）に基づき、津波予測データベース記憶部１８の津波予測データベースにより、震源条件に対応する予測対象位置についての津波予測を行う。或いは、処理装置１６は、入力した震源条件に基づき津波の波源条件を求め、津波予測データベース記憶部１８の津波予測データベースにより、波源条件に対応する予測対象位置についての津波予測を行う。また処理装置１６は、所定観測位置における津波の観測値を用いて、津波予測データベース記憶部１８の津波予測データベースにより震源条件又は波源条件を修正し或いは津波予測を行うことができる。
【００７６】
更に、処理装置１６は、津波予測結果に基づき、判定テーブル記憶部２０の判定テーブルにより、予測対象位置についての津波予測の結果に応じ各種情報発信や防災設備等の各種設備・機器操作の要否を判定し、その判定結果に応じ、情報発信部２２に対し必要な情報の発信指示を行い、設備・機器操作部２４に対し必要な設備・機器２６を作動させるための指示を行う。なお、津波の他、高潮、土砂災害、河川災害等についても、対応する判定テーブルを用意し、それぞれ必要な観測データを入力して処理装置で予測等を実行し、それぞれに対応する判定テーブル或いは複数の要素を複合した判定テーブルにより警報や避難勧告等の各種情報発信や防災設備等の各種設備・機器操作の要否等を判定する総合的な防災システムとすることもできる。
【図面の簡単な説明】
【００７７】
【図１】津波予測及び関連処理システム
【符号の説明】
【００７８】
１０      震源条件計測装置
１２      津波観測装置
１４      通信システム
１６      処理装置
１８      津波予測データベース記憶部
２０      判定テーブル記憶部
２２      情報発信部
２４      設備・機器操作部
２６      設備・機器
【図１】
2005208001.tif 000003